【手続補正書】
【提出日】平成29年11月16日(2017.11.16)
【手続補正１】
【補正対象書類名】特許請求の範囲
【補正対象項目名】全文
【補正方法】変更
【補正の内容】
【特許請求の範囲】
【請求項１】
陰圧療法を創傷に施すための装置であって、
創傷被覆材(120)と流体的に連通するように構成されている陰圧源(150,230)を備えるハウジングであって、前記陰圧源は前記創傷から流体を吸引するように構成されており、前記陰圧源はモーターを有する真空ポンプと前記モーターの速度を測定するように構成されているタコメータとを備える、ハウジングと、
前記創傷被覆材と前記陰圧源とを流体的に接続するように構成されている流体流路内の圧力を測定するように構成されている圧力センサーと、
前記陰圧源を操作するように構成されているコントローラ(370)であって、前記コントローラは、
ユーザによって選択された陰圧設定点を受信し、
第1の期間中における第1の複数のタコメータの読み取り値の平均に基づいて前記流体流路内の流量を決定し、
陰圧創傷療法の開始後に、前記流体流路内の前記圧力および前記流体流路内の前記流量に少なくとも一部は基づき前記流体流路内の1つまたは複数の漏れの存在を検出し、前記検出は、前記流量が更なる期間中に漏れ閾値の条件を満たしているかどうかを決定することを含み、前記漏れ閾値は、前記陰圧設定点に基づいて決定され、
1つまたは複数の漏れの存在の指示を与えるようにさらに構成されているコントローラとを備える装置。
【請求項２】
前記ハウジングは、電子ディスプレイをさらに備え、前記コントローラは、1つまたは複数の漏れの存在を検出したことに応答して前記流体流路内の前記流量のグラフィック表現をディスプレイに表示するようにさらに構成され、
前記流体流路内の前記流量の前記グラフィック表現は、ゲージを備える請求項1に記載の装置。
【請求項３】
前記コントローラは、前記第1の期間と異なる第2の期間にわたって第2の複数のモーター速度を測定し、前記第2の複数のモーター速度を平均するようにさらに構成され、前記平均は前記流量を示している請求項1に記載の装置。
【請求項４】
前記コントローラは、前記第1および第2の複数のモーター速度の前記平均を利用して、前記流体流路内の1つまたは複数の漏れの存在、前記流体流路内の1つまたは複数の閉塞の存在、前記流体流路内の低い陰圧、および前記流体流路内の高い陰圧のうちの少なくとも1つを決定するようにさらに構成される請求項3に記載の装置。
【請求項５】
前記創傷から吸引された流体を回収するように構成されているキャニスターをさらに備える請求項1から4のいずれか一項に記載の装置。
【請求項６】
前記コントローラは、前記流量が前記漏れ閾値の条件を満たしていること、およびキャニスター圧力が低い陰圧を指示する圧力閾値の条件を満たさないことを決定したことに応答して、
前記流体流路内の圧力の特性の変化を検出し、
前記検出された変化に少なくとも一部は基づき前記キャニスターがフル状態であることを検出するステップとによってキャニスターフル状態を検出するようにさらに構成され、
圧力の前記特性の前記変化は、圧力の振幅の複数の変化を含み、前記コントローラは、圧力の前記振幅の前記複数の変化のうちの少なくともいくつかを閾値と比較することによって前記キャニスターがフル状態であることを検出するように構成される請求項5に記載の装置。
【請求項７】
リモートコンピューティングデバイスとの通信を、前記装置が前記リモートコンピューティングデバイスのカバーエリア内にあるときに行い、前記リモートコンピューティングデバイスが前記装置が前記カバーエリア内にあるかどうかを決定することを可能にするように構成されている送信機をさらに備え、
前記送信機は、前記リモートコンピューティングデバイスと繰り返し通信して、前記装置が前記カバーエリアから外れたときの一度目と前記装置がカバーエリアに戻ったときの二度目とを前記リモートコンピューティングデバイスに決定させ、それによって、前記一度目と前記二度目との比較結果に少なくとも基づき前記装置が前記カバーエリアの外に置かれている持続時間を前記リモートコンピューティングデバイスに決定させるように構成される請求項1に記載の装置。
【請求項８】
前記送信機は、実質的に一定の信号強度を使用して信号を送信し、前記リモートコンピューティングデバイスが前記送信機から受信した信号の信号強度に少なくとも基づき前記カバーエリアに関する前記装置の配置を前記リモートコンピューティングデバイスが決定することを可能にするように構成される請求項7に記載の装置。
【請求項９】
前記送信機は、前記装置が前記カバーエリアの外に位置するときに前記リモートコンピューティングデバイスが前記カバーエリア内の前記装置の存在を検出することを可能にしない信号を送信するように構成される請求項7または8に記載の装置。
【請求項１０】
陰圧創傷療法装置を操作する方法であって、
陰圧源と創傷被覆材とを流体的に接続するように構成されている流体流路内の圧力を測定するように構成された陰圧創傷療法装置を提供するステップであって、前記陰圧源は、モーターを有する真空ポンプと前記モーターの速度を測定するように構成されているタコメータとを備える、ステップと、
ユーザによって選択された陰圧設定点を受信するステップと、
第1の期間中における第1の複数のタコメータの読み取り値の平均に基づいて前記流体流路内の流量を測定するステップと、
陰圧創傷療法の開始後に、前記流体流路内の前記圧力および前記流体流路内の前記流量に少なくとも一部は基づき前記流体流路内の1つまたは複数の漏れの存在を検出するステップであって、前記検出は、前記流量が更なる期間中に漏れ閾値の条件を満たしているかどうかを決定することを含み、前記漏れ閾値は、前記陰圧設定点に基づいて決定される、ステップと、
1つまたは複数の漏れの存在の指示を与えるステップとを含み、
前記方法は、前記陰圧創傷療法装置のコントローラによって実行される方法。
【請求項１１】
1つまたは複数の漏れの存在を検出したことに応答して前記流体流路内の前記流量のグラフィック表現をディスプレイに表示するステップをさらに含み、
前記流体流中の前記流量の前記グラフィック表現は、ゲージを備える請求項10に記載の方法。
【請求項１２】
前記第1の期間と異なる第2の期間にわたって第2の複数のモーター速度を測定するステップと、前記第2の複数のモーター速度を平均するステップとをさらに含み、前記平均は前記流量を示している請求項10または11に記載の方法。
【請求項１３】
前記第1および第2の複数のモーター速度の前記平均を利用して、前記流体流路内の1つまたは複数の漏れの存在、前記流体流路内の1つまたは複数の閉塞の存在、前記流体流路内の低い陰圧、および前記流体流路内の高い陰圧のうちの少なくとも1つを決定するステップをさらに含む請求項12に記載の方法。
【請求項１４】
前記流量が前記漏れ閾値の条件を満たしていて、キャニスター圧力が低い陰圧を指示する圧力閾値の条件を満たさないと決定したことに応答して、キャニスターがフル状態であるかどうかを、
前記流体流路内の圧力の特性の変化を検出するステップと、
前記検出された変化に少なくとも一部は基づき前記キャニスターがフル状態であることを検出するステップとによって検出するステップをさらに含む請求項10から13のいずれか一項に記載の方法。
【請求項１５】
圧力の前記特性の前記変化は、圧力の振幅の複数の変化を含み、前記キャニスターがフル状態であることを検出するステップは、圧力の前記振幅の前記複数の変化のうちの少なくともいくつかを閾値と比較するステップを含む請求項14に記載の方法。